(57)【要約】【課題】鏡像非対称磁気書込み素子を有する磁気データ記録システムを提供する。【解決手段】シングル磁気データ記録用に構成された磁気ディスクドライブシステムであって、データトラックが、磁気媒体上においてオーバーラップした方式で記録される磁気ディスクドライブシステム。このディスクドライブシステムは、書込みヘッドの一側部において増大した書込みを有するように、非対称な磁気書込みヘッドを含む。磁気ディスクドライブシステムは、磁気媒体の反対表面に配置された書込みヘッド（例えば、上を向いたヘッドおよび下を向いたヘッド）が磁気媒体の内径および外径に対する場所において優先的な書込みを有することになるように、互いの鏡像である磁気書込みヘッドを含む。【選択図】図１０
2014123422.tif 000002
【特許請求の範囲】
【請求項１】
第１および第２反対表面を有する磁気媒体と、
第１スライダであって、その上部に形成された第１書込みヘッドを有する、前記磁気媒体の前記第１表面に隣接して配置された第１スライダと、
第２スライダであって、前記磁気媒体の前記第２表面に隣接して配置され、且つ、その上部に形成された第２書込みヘッドを有する第２スライダと、
を有し、
前記第１および第２磁気書込みヘッドは、それぞれ、非対称であり、且つ、互いの鏡像である、磁気ディスクドライブ。
【請求項２】
前記第１および第２磁気書込みヘッドのそれぞれは、書込み磁極を含み、該書込み磁極は、第１および第２横方向反対側部と、前記第１側部から前記第２側部まで延在するトレーリングエッジと、を有し、
前記磁気書込みヘッドは、
前記第１磁気書込みヘッドの前記書込み磁極の前記トレーリングエッジの左側部に配置された第１磁気マイクロ波生成器と、
前記第２磁気書込みヘッドの前記書込み磁極の前記トレーリングエッジの右側部に配置された第２磁気マイクロ波生成器と、
を更に有する請求項１に記載の磁気ディスクドライブ。
【請求項３】
前記第１および第２磁気マイクロ波生成器のそれぞれは、スピントルク発振器である、
請求項２に記載の磁気ディスクドライブ。
【請求項４】
前記第１および第２磁気書込みヘッドのそれぞれは、トレーリング磁気遮蔽体を更に有し、前記トレーリング磁気遮蔽体は、それぞれ、前記磁気マイクロ波生成器が前記書込み磁極の前記トレーリングエッジと前記トレーリング磁気遮蔽体との間に配置されるように配置されている、
請求項２に記載の磁気ディスクドライブ。
【請求項５】
前記第１磁気書込みヘッドは、左側部および書込み側部を有する書込み磁極と、非磁性左側部ギャップ層によって前記書込み磁極の前記左側部から分離された左側部遮蔽体と、非磁性右側部ギャップ層によって前記書込み磁極の右側部から分離された磁気右側部遮蔽体と、を有し、前記左側部ギャップ層は、前記右側部ギャップ層よりも厚く、且つ、
前記第２磁気書込みヘッドは、左側部および書込み側部を有する書込み磁極と、非磁性左側部ギャップ層によって前記書込み磁極の前記左側部から分離された左側部遮蔽体と、非磁性右側部ギャップ層によって前記書込み磁極の右側部から分離された磁気右側部遮蔽体と、を有し、前記右側部ギャップ層は、前記左側部ギャップ層よりも厚い、
請求項１に記載の磁気ディスクドライブ。
【請求項６】
前記第１磁気書込みヘッドは、書込み磁極と、前記書込み磁極の右側のみにおける磁気側部遮蔽体と、を含み、且つ、
前記第２磁気書込みヘッドは、書込み磁極と、前記書込み磁極の左側のみにおける磁気側部遮蔽体と、を含む請求項１に記載の磁気ディスクドライブ。
【請求項７】
前記第１および第２磁気書込みヘッドは、それぞれ、書込み磁極を有し、且つ、前記磁気書込みヘッドの前記非対称性により、第１磁気書込みヘッドは、その書込み磁極の第１横方向エッジにおいて主に書き込み、且つ、前記第２磁気書込みヘッドは、その書込み磁極の第２横方向エッジにおいて主に書き込み、前記第１横方向エッジの向きは、前記第２横方向エッジの向きとは反対である、
請求項１に記載の磁気ディスクドライブ。
【請求項８】
前記磁気媒体は、内径を有し、且つ、前記磁気書込みヘッドの前記非対称性により、前記磁気書込みヘッドのそれぞれは、前記磁気媒体の前記内径に向かって配置された好ましい書込みエッジを有する、
請求項１に記載の磁気ディスクドライブ。
【請求項９】
前記磁気媒体は、外径を有し、且つ、前記磁気書込みヘッドの前記非対称性により、前記磁気書込みヘッドのそれぞれは、前記磁気媒体の前記外径に向かって配置された好ましい書込みエッジを有する、
請求項１に記載の磁気ディスクドライブ。
【請求項１０】
前記磁気書込みヘッドのそれぞれは、トレーリングエッジを有する書込み磁極を含み、且つ、前記磁気書込みヘッドは、互いに非対称であり、且つ、前記書込み磁極の前記トレーリングエッジに対して垂直のラインを中心として互いの鏡像である、
請求項１に記載の磁気ディスクドライブ。
【請求項１１】
前記磁気書込みヘッドのそれぞれは、書込み磁極を有し、且つ、前記磁気媒体の内径に対して前記書込み磁極の内側エッジに向かって増大した書込み磁界勾配を提供するように構成されている、
請求項１に記載の磁気ディスクドライブ。
【請求項１２】
前記磁気書込みヘッドのそれぞれは、書込み磁極を有し、且つ、前記磁気媒体の外径に対して前記書込み磁極の外側エッジに向かって増大した書込み磁界勾配を提供するように構成されている、
請求項１に記載の磁気ディスクドライブ。
【請求項１３】
トレーリング磁気遮蔽体を更に有し、前記トレーリング磁気遮蔽体および第１および第２側部遮蔽体がラップアラウンド磁気遮蔽構造を形成している、
請求項５に記載の磁気ディスクドライブ。
【請求項１４】
前記磁気書込みヘッドは、前記磁気側部遮蔽体と磁気的に接続された磁気トレーリング遮蔽体を更に含む請求項６に記載の磁気ディスクドライブ。
【請求項１５】
前記磁気ディスクドライブシステムは、シングル磁気記録用に構成されている、
請求項１に記載の磁気ディスクドライブシステム。
【請求項１６】
トレーリングエッジを有する書込み磁極をそれぞれが有する第１および第２磁気書込みヘッドを有し、
前記磁気書込みヘッドのそれぞれは、前記トレーリングエッジに対して垂直のラインに対して非対称であり、且つ、
前記磁気書込みヘッドは、前記書込み磁極の前記トレーリングエッジに対して垂直のラインを中心として互いの鏡像である、
磁気ディスクドライブシステム。
【請求項１７】
前記第１磁気書込みヘッドは、前記書込み磁極の第１側部において書込み磁界勾配を増大させるように構成されており、且つ、前記第２磁気ヘッドは、前記書込み磁極の第２側部において磁界勾配を増大させるように構成されている、
請求項１６に記載の磁気ディスクドライブシステム。
【請求項１８】
前記書込み磁極の前記トレーリングエッジの第１側部に配置された第１磁気マイクロ波生成器と、前記磁気マイクロ波発振器の前記トレーリングエッジの第２側部に配置された第２磁気マイクロ波発振器と、を更に有する、
請求項１６に記載の磁気ディスクドライブシステム。
【請求項１９】
前記第１および第２磁気マイクロ波発振器は、スピントルク発振器である、
請求項１８に記載の磁気ディスクドライブシステム。
【請求項２０】
前記第１磁気書込みヘッドは、前記書込み磁極の第１側部において側部磁界勾配を増大させるように構成された磁気側部遮蔽構造を含み、且つ、前記第２磁気書込みヘッドは、前記書込み磁極の第２側部において側部磁界勾配を増大させるように構成された磁気側部遮蔽体を含む、
請求項１６に記載の磁気ディスクドライブシステム。
【発明の詳細な説明】
【技術分野】
【０００１】
本発明は、磁気データ記録に関し、且つ、更に詳しくは、シングル磁気記録（ｓｈｉｎｇｌｅｄ  ｍａｇｎｅｔｉｃ  ｒｅｃｏｒｄｉｎｇ）用の非対称磁気書込みヘッドを使用した磁気データ記録システムに関する。
【背景技術】
【０００２】
多くのコンピュータおよびデータサーバーシステムのコンポーネントの１つは、磁気ディスクドライブと呼ばれる組立体である。磁気ディスクドライブは、回転磁気ディスクと、回転磁気ディスクの表面に隣接した状態でサスペンションアームによって支持された書込みおよび読取りヘッドと、サスペンションアームを運動させて読取りおよび書込みヘッドを回転ディスク上の選択された円形トラックの上方に配置するアクチュエータと、を含む。読取りおよび書込みヘッドは、エアベアリング面（Ａｉｒ  Ｂｅａｒｉｎｇ  Ｓｕｒｆａｃｅ：ＡＢＳ）を有するスライダ上に直接的に配置される。サスペンションアームは、スライダをディスクの表面に向かって付勢しており、且つ、ディスクが回転した際に、ディスクに隣接した空気がディスクの表面に沿って運動する。スライダは、この運動する空気のクッション上において、ディスクの表面の上方を飛行する。スライダがエアベアリングに載っている際に、回転ディスクに対する磁気遷移の書込みおよび回転ディスクからの磁気遷移の読取りのために、書込みおよび読取りヘッドが利用される。読取りおよび書込みヘッドは、コンピュータプログラムに従って動作して書込みおよび読取り機能を実現する処理回路に接続されている。
【０００３】
書込みヘッドは、書込み磁極と、リターン磁極と、を含むことが可能であり、書込み磁極は、ＡＢＳにおいてリターン磁極よりも格段に小さな断面を有する。書込み磁極およびリターン磁極は、ＡＢＳから離れた領域において互いに磁気的に接続されている。導電性書込みコイルが、書込み磁極の周りに巻回されており、且つ、電流がコイルを通過した際に書込み磁極を磁化する磁束を誘発する。この結果、書込み磁界が隣接する磁気媒体を通じて生成され、書込み磁界は、媒体の表面に対して実質的に垂直である（但し、書込み磁極の近傍に配置されたトレーリング遮蔽体などにより、多少傾斜させることもできる）。書込み磁界は、媒体を局所的に磁化した後に、媒体を通じて移動し、且つ、リターン磁極の場所において書込みヘッドに戻り、この時点において、書込み磁界は、以前に記録されたデータのビットを消去することがないように十分に拡散すると共に弱くなっている。書込み磁界の極性は、書込みコイルを通じた書込み電流の極性によって決定される。極性は、その周波数および位相がデータ書込みプロセスを最適化するために制御される書込みクロックに基づいて切り替えられる。
【０００４】
回転磁気ディスクから磁界を検知するべく、ＧＭＲセンサやＴＭＲセンサなどの磁気抵抗センサを利用することができる。センサは、固定層および自由層と呼ばれる第１および第２強磁性層の間に挟持された非磁性導電層、即ち、障壁層を含む。読取りモードにおいては、スピンバルブセンサの抵抗値が回転ディスクからの磁界の大きさに比例して変化する。検知電流がスピンバルブセンサを通じて伝導した際に、抵抗値の変化によって電位の変化が生成され、これが再生信号として検出および処理される。
【発明の概要】
【発明が解決しようとする課題】
【０００５】
データ密度を増大させるには、トラックピッチを増大させる必要があり、これは、データトラックの間の間隔の低減を意味している。但し、データトラックの間の間隔は、書込みヘッドの書込み磁極のサイズによって制限されている。書込み磁極のサイズを低減することができる量は、データビットを磁気媒体に確実に書き込むために十分な書込み磁界を提供するというニーズによって制限されている。これを克服するための１つの方法は、データをシングル方式で記録するというものであり、この場合には、データトラックが互いにオーバーラップしている。このようなシステムにおいては、（設計に応じて）それぞれのデータトラックの内側または外側のエッジのみが読み取られる。このようなシステムは、データ密度増大の有望性を示しているが、設計、実装、および性能に関する課題をも伴っている。
【課題を解決するための手段】
【０００６】
本発明は、第１および第２反対表面を有する磁気媒体を含む磁気ディスクドライブを提供する。第１スライダが、磁気媒体の第１表面に隣接して配置されると共にその上部に形成された第１書込みヘッドを有し、且つ、第２スライダが、磁気媒体の第２表面に隣接して配置されると共にその上部に形成された第２書込みヘッドを有する。第１および第２磁気書込みヘッドは、それぞれ、非対称であり、且つ、互いの鏡像である。
【０００７】
ディスクドライブは、シングル磁気記録用に構成することが可能であり、且つ、書込みヘッドの非対称な構造により、書込みヘッドは、シングル磁気記録を円滑に実行するべく、主に、書込み磁極の望ましい側部に書き込むことができる。更には、このディスクドライブシステムは、複数の書込みヘッドを有しており、そのうちのいくつかのものは、その他のものの鏡像であり、この結果、媒体の一方の面に書き込むように構成された下向きのヘッドは、媒体の反対面における上向きの磁気書込みヘッドの鏡像になっている。書込みヘッドが、鏡像であり、且つ、反対方向に向いているため、それぞれの書込みヘッドは、磁気媒体の内径または外径に対して同一の向きに配置された好ましい書込み側部を有する。この結果、上向きおよび下向きの書込みヘッドの両方について、（内径において始まって外向きに動作するかまたは外径において始まって内向きに動作する）方式により、記録を実行することができる。この結果、有利には、ディスクドライブシステムの速度および性能が改善される。
【０００８】
本発明のこれらのおよびその他の特徴および利点については、同一の参照符号によって同一の要素を示している添付図面との関連において好適な実施形態に関する以下の詳細な説明を参照することにより、明らかとなろう。
【０００９】
本発明の特性および利点、並びに、好ましい使用モードについて十分に理解するために、添付図面との関連において以下の詳細な説明を参照されたい。尚、添付図面は、縮尺が正確ではない
【図面の簡単な説明】
【００１０】
【図１】本発明を実施し得るディスクドライブシステムの概略図である。
【図２】図１のライン２−２から観察した概略側面図である。
【図３】磁気ヘッドの側部断面図である。
【図４】シングル磁気記録の概略図である。
【図５】シングル磁気記録の概略図である。
【図６】本発明の一実施形態による磁気書込みヘッドの一部分のエアベアリング表面図である。
【図７】本発明の一代替実施形態による磁気書込みヘッドの一部分のエアベアリング表面図である。
【図８】本発明の更に別の実施形態による磁気書込みヘッドの一部分のエアベアリング表面図である。
【図９】磁気ディスクとの関係におけるアップおよびダウン磁気ヘッドの向きを示す図である。
【図１０】図９のものに類似した、但し、鏡像磁気書込みヘッドを使用した図である。
【図１１】２つの鏡像非対称書込みヘッドの一部分のエアベアリング表面図である。
【図１２】本発明の一代替実施形態による２つの鏡像非対称書込みヘッドの一部分のエアベアリング表面図である。
【図１３】本発明の別の実施形態による２つの鏡像非対称書込みヘッドの一部分のエアベアリング表面図である。
【発明を実施するための形態】
【００１１】
以下の説明は、本発明を実施するための現時点において想定される最良の実施形態に関するものである。この説明は、本発明の一般的な原理を例示することを目的として提供されるものであり、且つ、本明細書において特許請求されている発明の概念を限定することを意図したものではない。
【００１２】
まず、図１を参照すれば、本発明を実施したディスクドライブ１００が示されている。図１に示されているように、少なくとも１つの回転可能な磁気ディスク１１２がスピンドル上において支持されている。それぞれのディスク上における磁気記録は、磁気ディスク１１２上の同心データトラックの環状パターンの形態を有する（図示されてはいない）。
【００１３】
それぞれがそのトレーリングエッジ上に形成された磁気ヘッドを有する複数のスライダ１１３が磁気ディスク１１２の近傍において位置決めされている。磁気ディスクが回転するのに伴って、スライダ１１３は、望ましいデータが書込みおよび読取りされる磁気ディスクの異なるトラックに対してスライダ１１３の磁気ヘッド組立体がアクセスすることができるように、ディスク１１２の表面の上方において半径方向を内向き且つ外向きに運動する。それぞれのスライダ１１３は、サスペンション１１５を用いてアクチュエータアーム１１９に装着されている。サスペンション１１５は、スライダ１１３をディスク表面１１２に向かって付勢するわずかなスプリング力を提供している。それぞれのアクチュエータアーム１１９は、アクチュエータ手段１２７に装着されている。図１に示されているアクチュエータ手段１２７は、ボイスコイルモータ（Ｖｏｉｃｅ  Ｃｏｉｌ  Ｍｏｔｏｒ：ＶＣＭ）であってもよい。ＶＣＭは、固定磁界内において運動可能であるコイルを有し、コイルの運動の方向および速度は、コントローラ１２９によって供給されるモータ電流信号によって制御されている。
【００１４】
ディスクストレージシステムの動作の際に、磁気ディスク１１２の回転により、スライダ１１３とディスク１１２の表面の間に、上向きの力または揚力をスライダに対して作用させるエアベアリングが生成される。この結果、エアベアリングは、サスペンション１１５のわずかなスプリング力を相殺し、且つ、正常動作の際に、わずかな実質的に一定の間隔だけ、ディスク１１２の表面から離れて、且つ、そのわずかに上方において、スライダ１１３を支持する。
【００１５】
ディスクストレージシステムの様々なコンポーネントは、動作の際に、制御ユニット１２９によって生成される制御信号によって制御される。通常、制御ユニット１２９は、システムインターフェイス、データストレージキャッシュ、マイクロプロセッサ、およびサブシステム電子回路を有する。制御ユニット１２９は、様々なシステム動作を制御するべく、ライン１２８上のヘッド位置およびシーク制御信号などの制御信号を生成する。ライン１２８上の制御信号は、スライダ１１３をディスク１１２上の望ましいトラックに最適に運動させると共に位置決めするための望ましい電流プロファイルを提供する。更には、制御ユニットは、読取りヘッドからの信号を検知および処理すると共に書込みヘッド用の電流を制御するための電子回路を収容している。
【００１６】
図２は、図１のライン２−２から観察したディスクドライブシステムの一部分の側面図を示している。図２に示されているように、ディスクドライブシステムは、いくつかの磁気ディスク１１２からなる積層体を含み、これらの磁気ディスクのそれぞれは、スピンドル１１４上において保持されており、このスピンドルは、ディスク１１２を回転させるためにモータ２０２に装着することができる。ディスクのそれぞれは、下部表面２０４ａと、上部表面２０４ｂと、を有する。また、システムは、スピンドル組立体２０６をも含んでおり、この組立体は、アクチュエータアーム１１９、サスペンション１１５、およびスライダ１１３の積層体として形成されており、これらの一部は、ディスク１１２の下部表面２０４ａに記録するように構成されており、且つ、これらの一部は、ディスク１１２の上部表面２０４ｂに記録するように構成されている。また、図２において観察することができるように、スライダのいくつかは、磁気ディスク１１２の下部表面２０４ａを読み取るように構成された上向きのスライダ１１３ａであり、スライダのうちのその他のものは、上部表面２０４ｂを読み取るように構成された下向きのスライダ１１３ｂとして構成されている。
【００１７】
図３は、磁気ディスク１１２にデータを書き込むかまたは磁気ディスク１１２からデータを読み取るべくスライダ上に形成することができる磁気ヘッド３００の側部断面図を示している。磁気ヘッド３００は、読取り素子３０２と、書込み素子３０４と、を含み、これらは、アルミナなどの非磁性電気絶縁層３０３によって互いに分離されていてもよい。読取り素子は、ＧＭＲ（Ｇｉａｎｔ  ＭａｇｎｅｔｏＲｅｓｉｓｔｉｖｅ）センサまたはトンネル接合センサ（ＴＭＲ）などの磁気抵抗センサ３０６を含むことができる。読取りセンサ３０６は、第１および第２磁気遮蔽体３０８、３１０の間において挟持されている。
【００１８】
書込み素子は、エアベアリング面ＡＢＳまで延在する書込み磁極３１２と、ＡＢＳにおいて書込み磁極よりも大きな断面を有するリターン磁極３１４と、を含む。書込み磁極３１２およびリターン磁極３１４は、磁気バックギャップ層３１６および成形層３１８により、ＡＢＳから離れた領域内において互いに磁気的に接続することができる。成形層３１８（スティッチ磁極とも呼ばれる）は、書込み磁極３１２の先端に磁束を導くのに有用である。１つまたは複数の導電性非磁性書込みコイル３２０（図３には、断面において示されている）が、書込み磁極３１２とリターン磁極３１４の間を通過しており、且つ、これらのコイルは、アルミナおよび／または硬質焼成フォトレジストなどの非磁性電気絶縁充填層３２２に埋め込むことができる。
【００１９】
また、書込み素子３０４は、トレーリング磁気遮蔽体３２４を含むことも可能であり、これは、（以下に示されるように）書込み磁極３１２の側部の周りを包むように形成してもよい。トレーリング磁気遮蔽体３２４は、書込み磁界勾配を増大させて磁気記録を改善するのに有用である。トレーリング磁気遮蔽体３２４は、トレーリングリターン磁極３２６と接続することが可能であり、このトレーリングリターン磁極は、ＡＢＳから離れた後方の場所において書込み素子３０４のその他の磁気構造とも磁気的に接続されている。非磁性電気絶縁保護層３２８を書込み素子３０４の上部に形成することにより、読取りおよび書込み素子３０２、３０４を保護することができる。
【００２０】
図４および図５は、シングル磁気記録を使用してデータを磁気ディスク上に記録する方法を概略的に示している。上述のように、データ密度を増大させるために、トラックピッチに関連したトラック密度の増大に対する需要が存在している。トラック密度を増大させるための１つの方法は、（ＡＢＳから見た場合に）書込み磁極３１２を小さくするというものになろう。但し、書込み磁極３１２のサイズの低減は、限られた範囲においてのみ可能であり、その理由は、書込み磁極のサイズを低減することにより、書込み素子３０４によって生成することができる書込み磁界の量が低減されるためである。
【００２１】
これに対する解決策は、図４および図５に示されているように、データトラックをオーバーラップさせるというものである。このタイプの記録は、「シングル（ｓｈｉｎｇｌｅｄ）」記録と呼ぶことが可能であり、その理由は、オーバーラップしたデータトラックを屋根の瓦（シングル）に似たものとして概念化することができるためである。図４には、複数のこのようなオーバーラップした「シングル」データトラック４０２ａ〜４０２ｄが示されている。三角形の形状４０４は、書込み磁極によって生成される磁化の磁気フットプリントを表している。磁気フットプリント４０４は、三角形（または、台形）の形状を有しており、その理由は、書込みの先端が、スキューに関係する問題を回避するために、このような形状を有しているためである。
【００２２】
従来の磁気データ記録システムにおいては、（書込み磁極のトレーリングエッジの場所に対応した）このフットプリントのトレーリングエッジ４０４の全体が書込みを決定している。但し、シングル記録システムにおいては、トレーリングエッジ４０６の１つの横方向の外側エッジ部分４０８のみが最終的な書込み信号を決定する。図４に示されている記録においては、記録は、ディスクの内径（Ｉｎｎｅｒ  Ｄｉａｍｅｔｅｒ：ＩＤ）から実行され、且つ、ディスクの外径（Ｏｕｔｅｒ  Ｄｉａｍｅｔｅｒ：ＯＤ）に向かって進んでいる。このケースにおいては、後から読み取られることになる書込みを決定するのは、（ディスクの直径に対して）トレーリングエッジ４０６の最も内側の部分４０８である。
【００２３】
一方、シングル書込みは、図５に示されているように、外径（ＯＤ）から内径（ＩＤ）に進むこともできよう。図５は、複数のオーバーラップしたデータトラック５０２ａ〜５０２ｄを示しており、且つ、書込みは、外径において始まり、且つ、内向きに進んでいる。このケースにおいては、書込みバブル５０４のトレーリングエッジ５０６の最も内側のエッジ５０８が、主に、媒体に書き込まれることになるデータに対する責任を担っている。
【００２４】
この結果、書込み磁極のトレーリングエッジの外側エッジにおける書込みを改善することにより、シングル記録システムにおいて性能を改善することが可能であることがわかる。但し、この利益を実現するには、シングル記録が実行される方式に応じて、正しい外側エッジを主記録エッジとして構成する必要がある。
【００２５】
図６は、本発明の一実施形態による非対称書込み素子３０４（図３）の書込み磁極３１２のエアベアリング表面図（ＡＢＳ図）を示している。三角形の形状を有する書込み磁極３１２が示されているが、台形の形状を有することもできる。書込み磁極３１２は、非磁性トレーリングギャップ層６０４によってトレーリング遮蔽体から分離されたトレーリングエッジ６０２を有する。トレーリング磁気遮蔽体３２４は、非磁性電気絶縁側部ギャップ層６０６によって書込み磁極３１２の側部から分離された側部遮蔽部分３２４ａを提供するために、書込み磁極３１２の側部の周りを包むように形成することができる。
【００２６】
磁気マイクロ波生成器６０８が、書込み磁極３１２のトレーリングエッジ６０２とトレーリング遮蔽体３２４の間において、書込み磁極３１２のトレーリングエッジ６０２に形成されている。磁気マイクロ波生成器６０８は、発振するまたは交互に変化する磁界を生成する装置である。このような発振磁界を生成することができる１つのタイプの装置がスピントルク発振器である。このような磁気マイクロ波生成器６０８によって生成される発振磁界は、磁気発振を磁気媒体内においてセットアップすることにより、磁気媒体に対する書込みを円滑に実行する。但し、図６においては、磁気マイクロ波生成器６０８が、書込み磁極３１２のトレーリングエッジ６０２の１つの横方向の外側エッジ部分に配置されていることを観察することができる。この結果、磁気マイクロ波生成器６０８は、図４および図５を参照して上述したように、シングル磁気データ記録に最も適切な望ましい外側エッジにおける磁気書込みを支援することができる。トレーリングエッジのいずれの外側の場所が磁気マイクロ波生成器を含むべきであるのかに関する選択肢は、図４を参照して説明したように、シングル磁気記録が内径から外径に進行するように実行されるのか、或いは、図５を参照して説明したように、外径から内径に進行するように実行されるのか、に依存する。
【００２７】
図７は、本発明の別の可能な実施形態による非対称書込みヘッドを示しており、図７において観察されるように、書込み磁極３１２は、以前と同様に、トレーリングエッジ６０２を有しており、このトレーリングエッジは、非磁性トレーリングギャップ６０４により、トレーリング磁気遮蔽体７０２から分離されている。但し、図７に示されている実施形態は、非対称の側部遮蔽を有しており、これには、他方の側部遮蔽部分７０２ｂが書込み磁極から分離されている距離よりも格段に大きい距離だけ書込み磁極３１２から分離された側部遮蔽部分７０２ａが含まれている。側部遮蔽部分７０２ａは、第１側部ギャップ７０４ａにより、書込み磁極の側部から分離されており、且つ、第２側部遮蔽部分７０２ｂは、第２側部ギャップ層７０４ｂにより、書込み磁極の側部から分離されており、この場合に、側部ギャップ７０４ａは、側部ギャップ７０４ｂよりも格段に厚い。この側部遮蔽間隔の違いが、非対称な書込みを生成し、この場合に、書込みは、相対的に近接した側部遮蔽を有する書込み磁極の側部（例えば、図７の７０２ｂに隣接した側部）において円滑に実行される。相対的に近接した側部遮蔽は、書込みの際に磁気スイッチングを促進する側部磁界勾配を増大させる。
【００２８】
図８は、本発明の更に別の実施形態による非対称書込みヘッドを示している。図８は、書込み磁極の一側部においてのみ側部遮蔽部分８０２を提供し他側部においては提供しないようにするべく、一側部においてのみ書込み磁極の周りを包んでいるトレーリング遮蔽体８００と、他側部における非磁性材料８０４と、を有する書込み磁極３１２を有する書込みヘッドを示している。上述の実施形態と同様に、側部遮蔽体８０２ａの存在は、その側部における側部磁界勾配を増大させることにより、側部遮蔽体８０２ａが存在している側部における書込みを促進する。
【００２９】
その上部に形成された磁気ヘッドを有するスライダは、ウエハ上に形成され、１つのウエハ上には、このような数千もの多数のスライダが形成される。図２を再度参照すれば、媒体ディスク１１２の下部表面２０４ａを読み取るために使用されるスライダ１１３ａは、ディスク１１２の上部表面２０４ｂを読み取るために使用されるスライダ１１３ｂと同一のものであった。但し、上述の非対称書込みヘッドを使用する際には、アップおよびダウンスライダの両方において同一の書込みヘッドを使用した場合には、懸念が生じる。この懸念は、図９を参照することによってよく理解することができる。
【００３０】
図９は、磁気ディスク１１２を示している。三角形９０２は、ディスクの上方に配置されると共に下を向いたスライダの向きを表している。破線の三角形９０４は、ディスク１１２の下方に配置されると共にディスクに向かって上を向いた書込みヘッドを表している。書込みヘッド９０２は、書込みが一側部のエッジの場所９０６において不均衡に実行されるように構成された非対称書込みヘッドである。但し、ヘッド９０２、９０４は同一のものであるため、書込みヘッド９０４（ヘッド９０２に対して上下逆に反転されたもの）は、反対側部に配置されたその好ましい書込みエッジの場所９０８を有する。即ち、ヘッド９０２が、ディスクの内径に向かって配置されたその好ましいエッジ９０６を有している一方で、他方のヘッド９０４は、ディスクの外径において配置されたその好ましいエッジ９０４を有している。従って、シングル記録システムにおいて機能するためには、ヘッド９０２は、内径から外向きに動作して記録しなければならず、ヘッド９０４は、外径から内向きに動作して記録しなければならない。この結果、深刻な性能問題が発生し、これにより、ディスク１１２上においてスライダの場所を制御するアクチュエータの過大な運動が必要とされることにより、ディスクドライブシステムの速度が低下することになろう。
【００３１】
図１０は、この問題に対する解決策を示している。図１０は、互いの鏡像として構築された書込みヘッド１００２、１００４を有する磁気ディスク１０を示している。換言すれば、１つの書込みヘッド１００２は、一側部においてその好ましい書込みエッジ１００６を有し、且つ、他方の書込みヘッド１００４は、他側部においてその好ましい書込みエッジ１００８を有する。この結果、書込み要素１００２、１００４が１つがアップであり且つ１つがダウンである状態において反対方向に向いている際に、好ましい書込みエッジ１００６、１００８は、ディスクに対して同一の方向に方向付けられ、両方が内径に向かっているか（図示のように）、或いは、両方が外径に向かっている。
【００３２】
図１１は、磁気マイクロ波生成器素子を使用した一実施形態におけるこの構成の一例を示している。図１１において、第１磁気ヘッド１１０２は、書込み磁極３１２およびトレーリング遮蔽体３２４を有すると共に、トレーリングエッジ６０２の第１外側エッジに（例えば、左側部に向かって）配置された磁気マイクロ波生成器１１０４を有し、且つ、別の磁気ヘッド１１０６は、書込み磁極３１２およびトレーリング遮蔽体３２４を有し、磁気マイクロ波生成器１１０８が、トレーリングエッジの反対側の外側エッジに（例えば、右側部に）配置されている。この実施形態は、１つの書込み素子（例えば、１１０２）が「アップ」ヘッドとして使用されると共に他方の書込み素子（例えば、１１０６）が「ダウン」ヘッドとして使用されているシングル記録システムにおいて同一の側部場所における書込みを支援することができる磁気マイクロ波支援型記録システムを提供する。
【００３３】
同様に、図１２は、非対称ラップアラウンドトレーリング遮蔽構造１２０６、１２０８を有する２つの鏡像書込みヘッド１２０２、１２０４を示している。更に詳しくは、書込みヘッド１２０２は、左側の相対的に小さな側部ギャップ１２１０と、右側の格段に大きな側部ギャップ１２１２と、を有する側部遮蔽体を有する。逆に、書込みヘッド１２０４は、右側の相対的に小さな側部ギャップ１２１４と、左側の格段に大きな側部ギャップ１２１６と、を有する。上述のように、それぞれのヘッド１２０２、１２０４において、相対的に小さな側部ギャップを有する側部は、増大した側部磁界勾配に起因し、改善された書込みを有することになる。従って、これらの２つの鏡像書込みヘッド１２０２、１２０４は、磁気ディスクの反対表面（例えば、上部および下部）に配置された際に、改善されたシングル書込みのために同一の場所（例えば、内側エッジまたは外側エッジ）に配置された好適な書込みエッジを有することになる。
【００３４】
同様に、図１３は、それぞれが互いの鏡像である遮蔽構造１３０６、１３０８を有する２つの磁気ヘッド１３０２、１３０４を示している。ヘッド１３０２は、左側にのみ側部遮蔽を提供する遮蔽体を有し、且つ、右側には、非磁性材料１３１０を有するのみである。逆に、書込みヘッド１３０４は、右側にのみ遮蔽を提供する遮蔽構造１３０８を有し、且つ、左側には、非磁性材料１３１２を有するのみである。この場合にも、これらの２つのヘッドが磁気ディスクの反対面に配置された際に、それぞれの好ましい書込みエッジ（遮蔽を有する側部）は、ディスクの内径または外径に対して同一の場所に存在することになる。
【００３５】
様々な実施形態について説明したが、これらは、限定としてではなく、一例として提示されたものに過ぎないことを理解されたい。当業者には、本発明の範囲に含まれるその他の実施形態も明らかとなろう。従って、本発明の広さおよび範囲は、上述の例示用の実施形態のいずれによっても限定されるものではなく、添付の請求項およびそれらの均等物によってのみ規定される。
【符号の説明】
【００３６】
１０  磁気ディスク
１００  ディスクドライブ
１１２  磁気ディスク
１１３  スライダ
１１３ａ  上向きのスライダ
１１３ｂ  下向きのスライダ
１１４  スピンドル
１１５  サスペンション
１１９  アクチュエータアーム
１２７  アクチュエータ手段
１２８  ライン
１２９  制御ユニット
２０２  モータ
２０４ａ  下部表面
２０４ｂ  上部表面
２０６  スピンドル組立体
３００  磁気ヘッド
３０２  読取り素子
３０３  非磁性電気絶縁層
３０４  書込み素子
３０６  読取りセンサ
３０８  第１磁気遮蔽体
３１０  第２磁気遮蔽体
３１２  書込み磁極
３１４  リターン磁極
３１６  磁気バックギャップ層
３１８  成形層
３２０  導電性非磁性書込みコイル
３２２  非磁性電気絶縁充填層
３２４  トレーリング遮蔽体
３２４  トレーリング磁気遮蔽体
３２４ａ  側部遮蔽部分
３２６  トレーリングリターン磁極
３２８  非磁性電気絶縁保護層
４０２ａ〜４０２ｄ  データトラック
４０４  トレーリングエッジ
４０６  トレーリングエッジ
４０８  外側エッジ部分
５０２ａ〜５０２ｄ  データトラック
５０４  書込みバブル
５０６  トレーリングエッジ
５０８  エッジ
６０２  トレーリングエッジ
６０４  非磁性トレーリングギャップ層
６０６  非磁性電気絶縁側部ギャップ層
６０８  磁気マイクロ波生成器
７０２  トレーリング磁気遮蔽体
７０２ａ  側部遮蔽部分
７０２ｂ  第２側部遮蔽部分
７０４ａ  第１側部ギャップ層
７０４ｂ  第２側部ギャップ層
８００  トレーリング遮蔽体
８０２  側部遮蔽部分
８０２ａ  側部遮蔽体
８０４  非磁性材料
９０２  書込みヘッド
９０４  書込みヘッド
９０６  エッジ
９０８  エッジ
１００２  書込みヘッド
１００４  書込みヘッド
１００６  書込みエッジ
１００８  書込みエッジ
１１０２  第１磁気ヘッド
１１０４  第１磁気マイクロ波生成器
１１０８  第２磁気マイクロ波生成器
１２０２  鏡像書込みヘッド
１２０４  鏡像書込みヘッド
１２０６  非対称ラップアラウンドトレーリング遮蔽構造
１２０８  非対称ラップアラウンドトレーリング遮蔽構造
１２１０  側部ギャップ
１２１２  側部ギャップ
１２１４  側部ギャップ
１２１６  側部ギャップ
１３０２  磁気ヘッド
１３０４  書込みヘッド
１３０６  遮蔽構造
１３０８  遮蔽構造
１３１０  非磁性材料
１３１２  非磁性材料
ＡＢＳ  エアベアリング面
【図１】
2014123422.tif 000003
【図２】
2014123422.tif 000004
【図３】
2014123422.tif 000005
【図４】
2014123422.tif 000006
【図５】
2014123422.tif 000007
【図６】
2014123422.tif 000008
【図７】
2014123422.tif 000009
【図８】
2014123422.tif 000010
【図９】
2014123422.tif 000011
【図１０】
2014123422.tif 000012
【図１１】
2014123422.tif 000013
【図１２】
2014123422.tif 000014
【図１３】
2014123422.tif 000015